(57)【要約】【課題】被測定量の測定精度の向上および製造効率の向上を実現する。【解決手段】基板１１と、基板１１に配設された抵抗体１２と、基板１１に配設された配線Ｗ１を介して抵抗体１２の一端部１２ａに接続されて基板１１の第１領域１１ａに配設された電流端子Ｃ１と、基板１１に配設された配線Ｗ２を介して抵抗体１２の他端部１２ｂに接続されて基板１１の第２領域１１ｂに配設された電流端子Ｃ２と、抵抗体１２の一端部１２ａおよび他端部１２ｂにそれぞれ接続される電圧端子Ｐ１，Ｐ２とを備え、第１領域１１ａに配設された電流端子Ｃ３と、第２領域１１ｂに配設された電流端子Ｃ４と、配線Ｗ１，Ｗ２、および抵抗体１２によって構成される電流路Ｃｃに沿って基板１１に配設されると共に電流端子Ｃ３，Ｃ４を接続する配線Ｗ３とを備えている。【選択図】図２
2016161304.tif 000002
【特許請求の範囲】
【請求項１】
支持体と、当該支持体に配設された抵抗体と、前記支持体に配設された第１配線を介して前記抵抗体の一端部に接続されて当該一端部が位置する当該支持体の第１領域に配設された第１の電流入出力用端子と、前記支持体に配設された第２配線を介して前記抵抗体の他端部に接続されて前記支持体における当該他端部が位置する第２領域に配設された第２の電流入出力用端子と、前記抵抗体の前記一端部および前記他端部にそれぞれ接続される一対の電圧検出用端子とを備えた抵抗器であって、
前記第１領域に配設された第３の電流入出力用端子と、前記第２領域に配設された第４の電流入出力用端子と、前記第１配線、前記第２配線および前記抵抗体によって構成される電流路に沿って前記支持体に配設されると共に前記第３の電流入出力用端子および第４の電流入出力用端子を接続する第３配線とを備えている抵抗器。
【請求項２】
前記第１の電流入出力用端子、前記第２の電流入出力用端子、前記第３の電流入出力用端子、および前記第４の電流入出力用端子をそれぞれ一対備え、
前記各一対の電流入出力用端子のいずれか一方は、同軸型ケーブルの端子を接続可能に構成され、前記各一対の電流入出力用端子の他方は、非同軸型ケーブルの端子を接続可能に構成されている請求項１記載の抵抗器。
【発明の詳細な説明】
【技術分野】
【０００１】
本発明は、第１の電流入出力用端子、第２の電流入出力用端子、および一対の電圧検出用端子を備えた抵抗器に関するものである。
【背景技術】
【０００２】
この種の抵抗器として、下記特許文献１に開示された電流検出用抵抗器が知られている。この電流検出用抵抗器は、一対の抵抗体層（右側抵抗体層および左側抵抗体層）と、被測定電流を流すための一対の電流電極と、電圧差を取り出す一対の電圧電極とを備え、これらが絶縁基板に形成されて構成されている。この電流検出用抵抗器では、各抵抗体層における各々の一辺同士が対向するように（つまり、平行となるように）各抵抗体層が配置され、各抵抗体層が電流電極に並列に接続されている。また、この電流検出用抵抗器では、各電圧電極が、対向して配置された各抵抗体層の間の中央部（各抵抗体層から等間隔に離間する位置）に配置されている。このため、この電流検出用抵抗器では、被測定電流を流したときに各抵抗体層に等しい電流が平行に流れて、その電流によって発生する磁界が、各電圧電極の配置位置（各抵抗体層の間の中央部）において合成される（互いに逆向きに作用する）結果、各電圧電極に対する相互インダクタンスによって発生する電圧に起因する誤差を小さく抑えることができるため、被測定電流を正確に測定することが可能となっている。
【先行技術文献】
【特許文献】
【０００３】
【特許文献１】特開２００９−２５０７３１号公報（第８−１０頁、第１図）
【発明の概要】
【発明が解決しようとする課題】
【０００４】
ところが、上記の電流検出用抵抗器には、以下の問題点がある。すなわち、上記の電流検出用抵抗器では、抵抗体層を一対備える必要があるため、構造が複雑となっている。また、この電流検出用抵抗器では、被測定電流を流したときに各抵抗体層からそれぞれ発生する磁界を互いに逆向きに作用させることで相互インダクタンスの影響を抑える構成のため、各抵抗体層の抵抗値や長さを等しくする必要がある結果、高精度の製造工程が必要となる。したがって、この電流検出用抵抗器には、製造効率の向上が困難であるという問題点が存在する。また、この電流検出用抵抗器では、各抵抗体層の間に各電圧電極を配置する構成のため、電流電極と電圧電極とを配線で接続する必要があり、この配線による電圧降下の影響によって被測定電流の測定精度が低下するおそれがあるという問題点も存在する。
【０００５】
本発明は、かかる問題点に鑑みてなされたものであり、被測定量の測定精度の向上および製造効率の向上を実現し得る抵抗器を提供することを主目的とする。
【課題を解決するための手段】
【０００６】
上記目的を達成すべく請求項１記載の抵抗器は、支持体と、当該支持体に配設された抵抗体と、前記支持体に配設された第１配線を介して前記抵抗体の一端部に接続されて当該一端部が位置する当該支持体の第１領域に配設された第１の電流入出力用端子と、前記支持体に配設された第２配線を介して前記抵抗体の他端部に接続されて前記支持体における当該他端部が位置する第２領域に配設された第２の電流入出力用端子と、前記抵抗体の前記一端部および前記他端部にそれぞれ接続される一対の電圧検出用端子とを備えた抵抗器であって、前記第１領域に配設された第３の電流入出力用端子と、前記第２領域に配設された第４の電流入出力用端子と、前記第１配線、前記第２配線および前記抵抗体によって構成される電流路に沿って前記支持体に配設されると共に前記第３の電流入出力用端子および第４の電流入出力用端子を接続する第３配線とを備えている。
【０００７】
また、請求項２記載の抵抗器は、請求項１記載の抵抗器において、前記第１の電流入出力用端子、前記第２の電流入出力用端子、前記第３の電流入出力用端子、および前記第４の電流入出力用端子をそれぞれ一対備え、前記各一対の電流入出力用端子のいずれか一方は、同軸型ケーブルの端子を接続可能に構成され、前記各一対の電流入出力用端子の他方は、非同軸型ケーブルの端子を接続可能に構成されている。
【発明の効果】
【０００８】
請求項１記載の抵抗器は、抵抗体の一端部が位置する支持体の第１領域に配設された第３の電流入出力用端子と、抵抗体の他端部が位置する支持体の第２領域に配設された第４の電流入出力用端子と、第１配線、第２配線および抵抗体によって構成される電流路に沿って支持体に配設されると共に第３の電流入出力用端子および第４の電流入出力用端子を接続する第３配線とを備えている。このため、この抵抗器によれば、電流路を流れる電流（測定用電流）の向きとは逆向きに、第３配線に測定用電流を流すことができる結果、電流路を流れる測定用電流によって生じる磁界と、第３配線を流れる測定用電流によって生じる磁界とが打ち消されて、各電圧検出用端子間の電圧に対する、磁界によって誘起される電圧の影響を低く抑えることができる。したがって、この抵抗器によれば、例えば、抵抗器を用いて校正を行う際に、被測定量としての抵抗値を正確に測定することができるため、校正の精度を十分に向上させることができる。また、この抵抗器によれば、構造が単純であるため、製造効率を十分に向上させることができる。
【０００９】
また、請求項２記載の抵抗器では、第１から第４の電流入出力用端子をそれぞれ一対備え、各一対の電流入出力用端子のいずれか一方は、同軸型ケーブルの端子を接続可能に構成され、各一対の電流入出力用端子の他方は、非同軸型ケーブルの端子を接続可能に構成されている。このため、この抵抗器によれば、例えば、小さな電流値の測定用電流を用いて測定等を行う際には同軸型ケーブルの端子を、各一対の電流入出力用端子のいずれか一方に接続して測定用電流を供給し、大きな電流値の測定用電流を用いて測定等を行う際には非同軸型ケーブルの端子を、各一対の電流入出力用端子の他方に接続して測定用電流を供給することができる結果、様々な使用形態に対応することができる。
【図面の簡単な説明】
【００１０】
【図１】抵抗器１の斜視図である。
【図２】抵抗器１の構成を概念的に示す構成図である。
【図３】抵抗器１の使用方法を説明する第１の説明図である。
【図４】抵抗器１の使用方法を説明する第２の説明図である。
【図５】抵抗器１ａの構成を示す構成図である。
【発明を実施するための形態】
【００１１】
以下、抵抗器の実施の形態について、添付図面を参照して説明する。
【００１２】
最初に、抵抗器の一例としての図１に示す抵抗器１の構成について、図面を参照して説明する。抵抗器１は、例えば、抵抗測定装置の校正等に用いられる抵抗器であって、同図および図２に示すように、基板１１、抵抗体１２、電流端子Ｃ１、電流端子Ｃ２、電圧端子Ｐ１、電圧端子Ｐ２、電流端子Ｃ３、電流端子Ｃ４、配線Ｗ１、配線Ｗ２および配線Ｗ３を備えて構成されている。
【００１３】
基板１１は、支持体の一例であって、図１に示すように、矩形の板状に形成されている。また、基板１１には、図２に模式的に示すように、３つの導体パターン３１ａ，３１ｂ，３１ｃが内部に形成されている。この場合、同図に示すように、各導体パターン３１ａ，３１ｂは、基板１１の上面２１側において、互いに離間した状態で基板１１の長さ方向に沿って延在するように配置されている。また、導体パターン３１ｃは、基板１１の厚み方向の中間部分において、導体パターン３１ａ，３１ｂから厚み方向に離間すると共に導体パターン３１ａ，３１ｂに対向し、かつ基板１１の長さ方向に沿って延在するように配置されている。また、同図に示すように、基板１１には、導体パターン３１ａに接続されたビア３２ａ，３２ｂ、導体パターン３１ｂに接続されたビア３２ｃ，３２ｄ、および導体パターン３１ｃに接続されたビア３２ｅ，３２ｆが形成されている。この場合、各ビア３２ａ〜３２ｆの一端部は上面２１に露出している。
【００１４】
抵抗体１２は、同図に示すように、基板１１の上面２１側の中央部に配設されている。
【００１５】
電流端子Ｃ１は、抵抗器１を用いて測定等を行う際に配線Ｗ１、抵抗体１２および配線Ｗ２に流す測定用の電流（以下、「測定用電流Ｉｍ」ともいう）を入出力させる（後述する抵抗測定装置５０の電流端子５２ａや抵抗測定装置７０の電流端子７２ａ（図３，４参照）を接続させる）第１の電流入出力用端子に相当する。この場合、電流端子Ｃ１は、図１，２に示すように、基板１１の上面２１における抵抗体１２の一端部１２ａが位置する第１領域１１ａ（両図における左側の領域）に配設されている。また、電流端子Ｃ１は、図２に示すように、配線Ｗ１を介して抵抗体１２の一端部１２ａに接続されている。
【００１６】
電流端子Ｃ２は、測定等を行う際に配線Ｗ１、抵抗体１２および配線Ｗ２に流す測定用電流Ｉｍを入出力させる（後述する抵抗測定装置５０の電流端子５２ｂや短絡部材８０（図３，４参照）を接続させる）第２の電流入出力用端子に相当する。この場合、電流端子Ｃ２は、図１，２に示すように、基板１１の上面２１における抵抗体１２の他端部１２ｂが位置する第２領域１１ｂ（両図における右側の領域）に配設されている。また、電流端子Ｃ２は、図２に示すように、配線Ｗ２を介して抵抗体１２の他端部１２ｂに接続されている。
【００１７】
電圧端子Ｐ１および電圧端子Ｐ２は、測定等を行う際に抵抗体１２の両端の電圧を検出する（後述する抵抗測定装置５０の電圧端子５４ａ，５４ｂや抵抗測定装置７０の電圧端子７４ａ，７４ｂ（図３，４参照）を接続させる）電圧検出用端子に相当する。この場合、電圧端子Ｐ１は、図２に示すように、基板１１の上面２１における第１領域１１ａに配設されて抵抗体１２の一端部１２ａに接続されている。また、電圧端子Ｐ２は、同図に示すように、基板１１の上面２１における第２領域１１ｂに配設されて抵抗体１２の他端部１２ｂに接続されている。
【００１８】
電流端子Ｃ３は、配線Ｗ１、抵抗体１２および配線Ｗ２を流れる測定用電流Ｉｍの流れの向きとは逆向きに測定用電流Ｉｍを配線Ｗ３に流すために測定用電流Ｉｍを入出力させる（後述する抵抗測定装置５０の電流端子５２ｃや抵抗測定装置７０の電流端子７２ｂ（図３，４参照）を接続させる）第３の電流入出力用端子に相当する。この場合、電流端子Ｃ３は、図１，２に示すように、基板１１の上面２１における第１領域１１ａ（電流端子Ｃ１の近傍）に配設されている。
【００１９】
電流端子Ｃ４は、電流端子Ｃ３と同様にして、測定用電流Ｉｍを配線Ｗ３に流すために測定用電流Ｉｍを入出力させる（後述する抵抗測定装置５０の電流端子５２ｄや短絡部材８０（図３，４参照）を接続させる）第４の電流入出力用端子に相当し、図１，２に示すように、基板１１の上面２１における第２領域１１ｂ（電流端子Ｃ２の近傍）に配設されている。また、図２に示すように、電流端子Ｃ３および電流端子Ｃ４は、配線Ｗ３によって互いに接続されている。
【００２０】
配線Ｗ１は、図２に示すように、電流端子Ｃ１と抵抗体１２の一端部１２ａとを接続する配線であって、基板１１に形成されている導体パターン３１ａおよびビア３２ａで構成されている。配線Ｗ２は、同図に示すように、電流端子Ｃ２と抵抗体１２の他端部１２ｂとを接続する配線であって、基板１１に形成されている導体パターン３１ｂおよびビア３２ｃで構成されている。
【００２１】
配線Ｗ３は、図２に示すように、電流端子Ｃ３と電流端子Ｃ４とを接続する配線であって、基板１１に形成されている導体パターン３１ｃおよびビア３２ｅ，３２ｆで構成されて、上記した配線Ｗ１、配線Ｗ２および抵抗体１２によって構成される電流路Ｃｃ（同図において破線で示す経路）に沿って基板１１内に配設されている。
【００２２】
次に、抵抗器１の使用方法について、図面を参照して説明する。
【００２３】
この抵抗器１は、例えば、抵抗測定装置の校正を行う際に標準抵抗器として用いられる。最初に、抵抗器１を標準抵抗器として用いて、４端子対法に対応した抵抗測定装置（例えば、図３に示す抵抗測定装置５０）の校正を行う例について説明する。この場合、抵抗測定装置５０は、同図に示すように、同軸ケーブル５１ａ，５１ｂ、電流端子５２ａ〜５２ｄ、ケーブル５３ａ，５３ｂ、電圧端子５４ａ，５４ｂ、電源部５５、電流計５６、電圧計５７および図外の測定部を備えて構成されている。また、電流端子５２ａ，５２ｂは、同軸ケーブル５１ａ，５１ｂの各芯線６１ａ，６１ｂにそれぞれ接続され、電流端子５２ｃ，５２ｄは、同軸ケーブル５１ａ，５１ｂの各シールド６２ａ，６２ｂにそれぞれ接続されている。また、電圧端子５４ａ，５４ｂは、ケーブル５３ａ，５３ｂにそれぞれ接続されている。
【００２４】
まず、図３に示すように、抵抗測定装置５０の電流端子５２ａ，５２ｂを抵抗器１の電流端子Ｃ１，Ｃ２にそれぞれ接続し、抵抗測定装置５０の電流端子５２ｃ，５２ｄを抵抗器１の電流端子Ｃ３，Ｃ４にそれぞれ接続する。次いで、抵抗測定装置５０の電圧端子５４ａ，５４ｂを抵抗器１の電圧端子Ｐ１，Ｐ２にそれぞれ接続する。
【００２５】
続いて、電源部５５に測定用電流Ｉｍ（例えば、交流電流）を出力させる。この際に、図３に示すように、測定用電流Ｉｍが、同図において一点鎖線で示す電流経路で流れる。具体的には、測定用電流Ｉｍは、抵抗測定装置５０における同軸ケーブル５１ａの芯線６１ａ、および電流端子５２ａを通って、抵抗器１の電流端子Ｃ１に入力し、配線Ｗ１、抵抗体１２および配線Ｗ２（上記した電流路Ｃｃ）を流れる。また、電流路Ｃｃを流れた測定用電流Ｉｍは、電流端子Ｃ２から出力され、抵抗測定装置５０の電流端子５２ｂ、および同軸ケーブル５１ｂの芯線６１ｂを通って、電流計５６に入力する。この際に、電流計５６によって測定用電流Ｉｍの電流値が検出される。
【００２６】
次いで、図３に示すように、測定用電流Ｉｍは、抵抗測定装置５０における同軸ケーブル５１ｂのシールド６２ｂ、および電流端子５２ｄを通って、抵抗器１の電流端子Ｃ４に入力し、配線Ｗ３を流れる。この場合、電流路Ｃｃを流れる測定用電流Ｉｍの向きと、配線Ｗ３を流れる測定用電流Ｉｍの向きとが逆向きとなる。
【００２７】
続いて、配線Ｗ３を流れた測定用電流Ｉｍは、電流端子Ｃ３から出力され、抵抗測定装置５０の電流端子５２ｃ、および同軸ケーブル５１ａのシールド６２ａを通って、電源部５５に戻る。
【００２８】
一方、抵抗測定装置５０の電圧計５７は、抵抗器１における電圧端子Ｐ１と電圧端子Ｐ２との間の電圧値を電圧端子５４ａ，５４ｂおよびケーブル５３ａ，５３ｂを介して検出する。次いで、抵抗測定装置５０における図外の測定部が、電流計５６によって検出された測定用電流Ｉｍの電流値と電圧計５７によって検出された電圧値とに基づいて抵抗値を測定する。この場合、測定した抵抗値が校正値となる。
【００２９】
ここで、この抵抗器１は、電流端子Ｃ３、電流端子Ｃ４、および両端子Ｃ３，Ｃ４を接続する配線Ｗ３を備えているため、電流端子５２ａ〜５２ｄを上記したように電流端子Ｃ１〜Ｃ４に接続することで、配線Ｗ１、抵抗体１２および配線Ｗ２によって構成される電流路Ｃｃを流れる測定用電流Ｉｍの向きとは逆向きに、配線Ｗ３に測定用電流Ｉｍを流すことができる。このため、この抵抗器１では、電流路Ｃｃを流れる測定用電流Ｉｍによって生じる磁界と、配線Ｗ３を流れる測定用電流Ｉｍによって生じる磁界とが打ち消されて、電圧端子Ｐ１，Ｐ２間の電圧に対する、磁界によって誘起される電圧の影響を低く抑えることが可能となっている。したがって、この抵抗器１を用いて校正を行うことで、抵抗値を正確に測定することができるため、校正の精度を十分に向上させることが可能となっている。
【００３０】
次に、抵抗器１を標準抵抗器として用いて、４端子法に対応した抵抗測定装置（例えば、図４に示す抵抗測定装置７０）の校正を行う例について説明する。この場合、抵抗測定装置７０は、同図に示すように、ケーブル７１ａ，７１ｂ、電流端子７２ａ，７２ｂ、ケーブル７３ａ，７３ｂ、電圧端子７４ａ，７４ｂ、電源部７５、電流計７６、電圧計７７、および図外の測定部を備えて構成されている。また、電流端子７２ａ，７２ｂは、ケーブル７１ａ，７１ｂにそれぞれ接続され、電圧端子７４ａ，７４ｂは、ケーブル７３ａ，７３ｂにそれぞれ接続されている。
【００３１】
まず、図４に示すように、抵抗器１の電流端子Ｃ２と電流端子Ｃ４とを短絡部材８０（導電性を有する部材）で短絡させる。続いて、抵抗測定装置７０の電流端子７２ａ，７２ｂを抵抗器１の電流端子Ｃ１，Ｃ３にそれぞれ接続する。次いで、抵抗測定装置７０の電圧端子７４ａ，７４ｂを抵抗器１の電圧端子Ｐ１，Ｐ２にそれぞれ接続する。
【００３２】
続いて、電源部７５に測定用電流Ｉｍを出力させる。この際に、図４に示すように、測定用電流Ｉｍが、同図において一点鎖線で示す電流経路で流れる。具体的には、測定用電流Ｉｍは、抵抗測定装置７０におけるケーブル７１ａ、および電流端子７２ａを通って、抵抗器１の電流端子Ｃ１に入力し、配線Ｗ１、抵抗体１２および配線Ｗ２（電流路Ｃｃ）を流れる。また、電流路Ｃｃを流れた測定用電流Ｉｍは、電流端子Ｃ２から出力され、短絡部材８０を通って電流端子Ｃ４に入力し、配線Ｗ３を流れる。この場合、電流路Ｃｃを流れる測定用電流Ｉｍの向きと、配線Ｗ３を流れる測定用電流Ｉｍの向きとが逆向きとなる。次いで、測定用電流Ｉｍは、電流端子Ｃ３から出力され、抵抗測定装置７０の電流端子７２ｂ、ケーブル７１ｂおよび電流計７６を通って、電源部５５に戻る。この際に、電流計７６によって測定用電流Ｉｍの電流値が検出される。
【００３３】
一方、抵抗測定装置７０の電圧計７７は、抵抗器１における電圧端子Ｐ１と電圧端子Ｐ２との間の電圧値を電圧端子７４ａ，７４ｂおよびケーブル７３ａ，７３ｂを介して検出する。続いて、抵抗測定装置７０における図外の測定部が、電流計７６によって検出された測定用電流Ｉｍの電流値と電圧計７７によって検出された電圧値とに基づいて抵抗値を測定する。この場合、測定した抵抗値が校正値となる。
【００３４】
この使用例においても、上記したように、抵抗器１の電流端子Ｃ２と電流端子Ｃ４とを短絡部材８０で短絡させ、電流端子７２ａ，７２ｂを電流端子Ｃ１，Ｃ３にそれぞれ接続することで、電流路Ｃｃを流れる測定用電流Ｉｍの向きとは逆向きに、配線Ｗ３に測定用電流Ｉｍを流すことができるため、電圧端子Ｐ１，Ｐ２間の電圧に対する、磁界によって誘起される電圧の影響を低く抑えることが可能となっている。したがって、この使用例においても、抵抗値を正確に測定することができるため、校正の精度を十分に向上させることが可能となっている。
【００３５】
また、この使用例（４端子法に対応した抵抗測定装置７０についての使用例）では、図４に示すように、近接して配置された電流端子Ｃ１，Ｃ３を介して測定用電流Ｉｍの入出力を行うことができるため、測定用電流Ｉｍを供給するケーブル７１ａ，７１ｂを近接させることができる結果、各ケーブル７１ａ，７１ｂから発生する磁界が打ち消されて、磁界の影響を低く抑えることができる。また、ケーブル７１ａ，７１ｂを近接させることで、電流経路で囲まれるループ（同図に斜線を付した部分）の面積を小さくすることができるため、電流経路からの磁界の発生を少なく抑えることができると共に、周囲で磁界が発生している場合において、ループを通過する磁界を少なく抑えることができる結果、これらの磁界の影響を低く抑えることができる。
【００３６】
このように、この抵抗器１は、抵抗体１２の一端部１２ａが位置する基板１１の第１領域１１ａに配設された電流端子Ｃ３と、抵抗体１２の他端部１２ｂが位置する基板１１の第２領域１１ｂに配設された電流端子Ｃ４と、配線Ｗ１，Ｗ２および抵抗体１２によって構成される電流路Ｃｃに沿って基板１１に配設されると共に電流端子Ｃ３，Ｃ４を接続する配線Ｗ３とを備えている。このため、この抵抗器１によれば、電流路Ｃｃを流れる測定用電流Ｉｍの向きとは逆向きに、配線Ｗ３に測定用電流Ｉｍを流すことができる結果、電流路Ｃｃを流れる測定用電流Ｉｍによって生じる磁界と、配線Ｗ３を流れる測定用電流Ｉｍによって生じる磁界とが打ち消されて、電圧端子Ｐ１，Ｐ２間の電圧に対する、磁界によって誘起される電圧の影響を低く抑えることができる。したがって、この抵抗器１によれば、例えば、抵抗器１を用いて校正を行う際に、被測定量としての抵抗値を正確に測定することができるため、校正の精度を十分に向上させることができる。また、この抵抗器１によれば、構造が単純であるため、製造効率を十分に向上させることができる。
【００３７】
なお、抵抗器の構成は上記の構成に限定されない。例えば、電流端子Ｃ１〜Ｃ４をそれぞれ１つだけ備えた例について上記したが、電流端子Ｃ１〜Ｃ４をそれぞれ複数備えた構成を採用することもできる。一例として、図５に示すように、第１の電流入出力用端子としての一対の電流端子Ｃ１ａ，Ｃ１ｂ、第２の電流入出力用端子としての一対の電流端子Ｃ２ａ，Ｃ２ｂ、第３の電流入出力用端子としての一対の電流端子Ｃ３ａ，Ｃ３ｂ、および第４の電流入出力用端子としての一対の電流端子Ｃ４ａ，Ｃ４ｂを備えた抵抗器１ａを採用することができる。この抵抗器１ａでは、各一対の電流端子のいずれか一方（例えば、電流端子Ｃ１ａ，Ｃ２ａ，Ｃ３ａ，Ｃ４ａ）を、同軸型ケーブルの端子（例えば、ＢＮＣ端子）との接続が可能な構成とし、各一対の電流端子の他方（例えば、電流端子Ｃ１ｂ，Ｃ２ｂ，Ｃ３ｂ，Ｃ４ｂ）を、非同軸型ケーブルの端子（例えば、バナナ端子）との接続が可能な構成とする。
【００３８】
このように構成することにより、小さな電流値の測定用電流Ｉｍを用いて測定等を行う際には同軸型ケーブルの端子を、一方の端子（電流端子Ｃ１ａ，Ｃ２ａ，Ｃ３ａ，Ｃ４ａ）に接続して測定用電流Ｉｍを供給し、大きな電流値の測定用電流Ｉｍを用いて測定等を行う際には非同軸型ケーブルの端子を、他方の端子（電流端子Ｃ１ｂ，Ｃ２ｂ，Ｃ３ｂ，Ｃ４ｂ）に接続して測定用電流Ｉｍを供給することができる結果、様々な使用形態に対応することができる。
【００３９】
また、基板１１に形成されている導体パターン３１ａ〜３１ｃを第１配線Ｗ１〜Ｗ３として用いる例について上記したが、例えば、導体パターン３１ａ〜３１ｃが形成されていない基板１１の上面２１や下面に第１配線Ｗ１〜Ｗ３として機能する導線を配設する構成を採用することもできる。
【００４０】
また、抵抗器１を抵抗測定装置の校正を行う際に用いる例について上記したが、抵抗器１の用途はこれに限定されず、例えば、被測定量としての電流を測定する際のシャント抵抗器として用いることもできる。
【符号の説明】
【００４１】
１，１ａ  抵抗器
１１  基板
１１ａ  第１領域
１１ｂ  第２領域
１２  抵抗体
１２ａ  一端部
１２ｂ  他端部
３１ａ〜３１ｃ  導体パターン
３２ａ〜３２ｆ  ビア
Ｃ１，Ｃ１ａ，Ｃ１ｂ  電流端子
Ｃ２，Ｃ２ａ，Ｃ２ｂ  電流端子
Ｃ３，Ｃ３ａ，Ｃ３ｂ  電流端子
Ｃ４，Ｃ４ａ，Ｃ４ｂ  電流端子
Ｃｃ  電流経路
Ｐ１  電圧端子
Ｐ２  電圧端子
Ｗ１〜Ｗ３  配線
【図１】
2016161304.tif 000003
【図２】
2016161304.tif 000004
【図３】
2016161304.tif 000005
【図４】
2016161304.tif 000006
【図５】
2016161304.tif 000007